(57)【要約】      （修正有）【課題】ボールヘッド型接続棒に対する位置決め作用を有し、ハンガーが揺れ動くことを避け、ハンガーの角度調整機能を有する吊り下げ装置を提供する。【解決手段】カップホルダー１０の中心に穿孔１１が形成され、ボールヘッド型接続棒２０が内端から挿入され穿孔１１から外へ伸びる。押圧弾性シート３０は、弾性を持つ金属プレス加工で形成され、カップホルダー１０の内部に設置され、両端に高く突出した押込み部３１、３２を有し、中間には凹んだ押圧部３３を有する。押圧部の下縁に形成された球面凹部３４がボールヘッド型接続棒の頂部に当接し嵌合する。押込み部はカップホルダーより高く、カップホルダーが天井に固定される時に、押込み部が下に押され、押圧部がやや変形して、ボールヘッド型接続棒２０を位置決めする。【選択図】図２
0003215784.tif 000002
【実用新案登録請求の範囲】
【請求項１】
カップホルダーと、ボールヘッド型接続棒と、押圧弾性シートと、ハンガーと、を含む吊り下げ装置であって、
前記カップホルダーは、その内部に内側に凹む収容空間が形成され、また所定の位置に複数のボルト穴が形成され、ボルトが前記ボルト穴を穿って前記カップホルダーをロックし、前記カップホルダーの中心部位に穿孔が形成されることにより、前記ボールヘッド型接続棒が前記カップホルダーの内端から収容空間に挿入され、また前記穿孔から外へ突出し、
前記ボールヘッド型接続棒は、ボールヘッド及び所定の長さの接続棒により組成され、前記ボールヘッドは、その大きさが前記カップホルダーを固定する穿孔より大きいため、その移動が前記カップホルダー内部に制限され、前記接続棒はその大きさが前記穿孔より小さいため外へ突出し、前記接続棒の下端には前記ハンガーが組み合わせられるように接続され、
前記押圧弾性シートは、前記カップホルダーの内部の収容空間に設置され、前記ボールヘッド型接続棒の上方に位置し、弾性を持つ金属によるプレス加工で形成され、両端には高く突出した押込み部を有し、中間の部分は凹む押圧部であり、また前記押圧部の下縁には球面凹部が形成され、前記球面凹部は前記ボールヘッド型接続棒のボールヘッドの頂部に当接するようにちょうど嵌合し、前記押込み部は前記カップホルダーの頂縁よりやや高く、前記カップホルダーが天井にロックされる時に、両端の前記押込み部に対して下へ押える支持作用が形成され、中間の前記押圧部が変形することにより、前記ボールヘッド型接続棒の前記ボールヘッドに対して押圧し位置決め作用を生じ、
前記ハンガーは、前記ボールヘッド型接続棒の下端に組み合わせられるように接続され、吊り下げ形状を呈することを特徴とする吊り下げ装置。
【請求項２】
前記カップホルダーは所定の位置に少なくとも内側に突出した移動制限箇所が設けられており、前記押圧弾性シートの所定の位置に前記移動制限箇所に対応する移動制限切欠きが設置されており、前記移動制限切欠きと前記移動制限箇所との移動制限による位置決めにより前記押圧弾性シートの回転または変位が防止されることを特徴とする請求項１に記載の吊り下げ装置。
【請求項３】
前記ボールヘッド型接続棒の下端に接続される別体の伸長棒及び固定ホルダーに組み合わせられるように前記ハンガーが接続され、
前記伸長棒及び固定ホルダーにより前記ハンガーの長さを伸ばすことができることを特徴とする請求項１に記載の吊り下げ装置。
【請求項４】
前記ボールヘッド型接続棒の中心には前記ボールヘッドと前記接続棒とを貫通する貫通孔が形成され、前記押圧弾性シートの前記押圧部の中心にも球面凹部を貫通する穿孔が形成され、前記ボールヘッド型接続棒の貫通孔と前記押圧弾性シートの穿孔とを経由して電源線が接続され、
前記ボールヘッド型接続棒の下端に接続される中空伸長棒及び固定ホルダーに組み合わせられるように照明器具が接続され、シャンデリアとして用いられることを特徴とする請求項１に記載の吊り下げ装置。
【考案の詳細な説明】
【技術分野】
【０００１】
本考案は、物品を吊り下げるための吊り下げ装置に関する。
【背景技術】
【０００２】
一般に物品を吊り下げるための吊り下げ装置は、壁面に固着するウォールフック、壁掛けのほか、天井または樓頂板に固着するフック、ハンガーなどの装置もあり、異なる形の吊り下げ装置はそれぞれ異なる適用する場所と用途がある。なお、本考案でいう改良的な対象物は、天井などに固着する吊り下げ型の吊り下げ装置である。
【０００３】
従来の吊り下げ式ハンガーはフックとホルダー本体を一定の形に設計してから、それを天井にロックした後に、そのフックは角度調整が出来なくなり、それにより使用上多くの制限を招きやすく、全体的な実用価値に影響を与える。従って業者は取り付けホルダーとフックが分離される組合せの吊り下げ装置を開発し、それによりフックは必要に応じて適当に回転して角度を調整することができ、もっと良い実用性と便利性が付与される。
【０００４】
特許文献１に記載されるように、吊り下げ式の吊り下げ装置に運用される支持装置が開示されている。主にカップホルダーが設置されており、カップホルダーに穴が設けられており、穴の中心に穿孔が設置されることにより、ボールヘッド型接続棒が内部から穴に挿入される。またボールヘッド型接続棒の棒本体が穿孔から穿った後に、穴の上方にボールヘッド型接続棒の頂部を被覆するように固定部品が充填され、当該固定部品の下縁の凹孔をボールヘッド型接続棒より低い球面に接触させる。それによりボルトがカップホルダー及び固定部品のボルト穴を穿ってそれが天井にロックされる時に、当該固定部品によりボールヘッド型接続棒を低く抑えることにより位置決め作用を持つことができる。
【先行技術文献】
【特許文献】
【０００５】
【特許文献１】実用新案登録第３１４０４５５号公報
【考案の概要】
【考案が解決しようとする課題】
【０００６】
ただし、従来技術の前記構造は位置決め部品を利用してボールヘッド型接続棒に対して押圧の位置決め作用を形成することができるが、その位置決め部品自体には弾力性がない。従って位置決め部品はボールヘッド型接続棒に対して強く押圧する位置決め関係が形成される。そのため、ボールヘッド型接続棒の角度を調整しようとする時に、当該ボールヘッド型接続棒の球面は位置決め部品の凹孔と接触、摩擦し、時間の経過とともに摩損現象が生じて位置決めの緊密性に影響を与え、さらに緩みが生じ揺れ動く現象が生じ、その実用価値に影響を与える。そこで、その問題を解決、改善する必要がある。
【０００７】
従来の吊り下げ装置はカップホルダーとボールヘッド型接続棒とが位置決め設計において完璧でないことに鑑みて、考案者はボールヘッド型接続棒の位置決め機能を果たすだけでなく、さらにボールヘッド型接続棒の角度調整の柔軟性を兼ねることができるように研究開発し設計に取組んだ。
【０００８】
本考案は、特に吊り下げ装置のボールヘッド型接続棒とカップホルダーとの関係における位置決めについて行った改良設計である。本考案の目的は、ハンガーが揺れ動く問題を避けることができ、またハンガーに角度調整の位置決め機能を付与し、それにより全体的な実用価値を引き上げることができる吊り下げ装置を提供することにある。
【課題を解決するための手段】
【０００９】
本考案の構造設計においては、ボールヘッド型接続棒がカップホルダーの内部に挿入されることにより接続棒が穿孔から伸びた後、当該カップホルダーの内部に弾性を持つ金属プレス加工により形成された押圧弾性シートが挿入される。押圧弾性シートの両端に突出したカップホルダーの押込み部を利用して、中間の部分が凹んだ押圧部がボールヘッド型接続棒の球面と接触する。これに合わせて、カップホルダーが天井にロックされる時に、押圧弾性シートの両端の押込み部に対して下へ押える支持作用が形成され、中間の押圧部がやや変形することでボールヘッド型接続棒に対して位置決め作用を生じる。その結果、その下に接続されるハンガーが吊り下げ物品により揺れ動く問題が生じることを避けることができると同時にハンガーの角度調整の位置決め機能に影響しない。
【００１０】
本考案の吊り下げ装置は構造の改良設計により、ボールヘッド型接続棒と組み合わせられるように接続されるハンガーの角度調整機能に影響しない上に、さらに安定な位置決め機能を付与することができる。摩損により揺れ動く現象が生じず、従って全体的な使用の便利性と実用性を引き上げることができる。
【図面の簡単な説明】
【００１１】
【図１】本考案の好適な実施例の構造を示す斜視図である。
【図２】本考案の好適な実施例の構造を示す分解斜視図である。
【図３】本考案の好適な実施例の構造を示す模式断面図である。
【図４】本考案の好適な実施例の別の角度の模式断面図である。
【図５】本考案の好適な実施例の実施を示す模式断面図である。
【図６】本考案の好適な実施例の角度調整を示す模式断面図である。
【図７】本考案の好適な実施例の異なる規格の構造参考図である。
【図８】本考案の好適な実施例の実施参考図である。
【図９】本考案の好適な実施例の別の形態の構造参考図である。
【図１０】本考案の好適な実施例の別の形態の実施参考図である。
【図１１】本考案の別の好適な実施例の構造参考図である。
【図１２】本考案の別の好適な実施例の実施参考図である。
【考案を実施するための形態】
【００１２】
本考案の構造の仕組み、技術手段及び達成効果について、図面に合わせて例を挙げてさらに具体的に説明する。
【００１３】
図１〜１０を参照しながら、本考案の好適な実施の形態を説明する。図に示すように、本考案の吊り下げ装置は構造設計において、主に天井または階層間の床にロックできるカップホルダー（１０）が設置されている。当該カップホルダー（１０）の内部に内側に凹む収容空間が形成されており、また中心部位に穿孔（１１）が設置され、それにより別途製造したボールヘッド型接続棒（２０）がカップホルダー（１０）の内端から挿入される。また当該ボールヘッド型接続棒（２０）のボールヘッド（２１）は、その大きさが前記穿孔（１１）のそれより大きく、カップホルダー（１０）の内部に嵌るように移動が制限される。ボールヘッド型接続棒（２０）の接続棒（２２）は、大きさが前記穿孔（１１）よりやや小さく、外側に突出する。
【００１４】
当該接続棒（２２）の下端には直接ハンガー（４０）が組み合わせられるように接続されることができる。または伸長棒（４１）及び固定ホルダー（４２）に合わせてハンガー（４０）がそれに組み合わせられるように接続されることにより、ハンガー（４０）の長さを伸ばすことができる。、それによりハンガー（４０）はフックまたはリングなどに合わせるために異なる形（図面を参照）とすることができる。
【００１５】
また前記カップホルダー（１０）の所定の位置に複数のボルト穴（１２）が設置されており、それによりボルト（１３）がボルト穴（１２）を通してカップホルダー（１０）を天井または階層間の床にロックすることができる。
【００１６】
前記ボールヘッド型接続棒（２０）とカップホルダー（１０）との関係における位置決めを達成させるために、本考案は当該カップホルダー（１０）の内部に別途製造した押圧弾性シート（３０）が挿入される。またカップホルダー（１０）の所定の位置に内側に突出したする移動制限箇所（１４）が設けられており、それにより当該押圧弾性シート（３０）が回転または変位するおそれがないように、当該押圧弾性シート（３０）の予め設置された移動制限切欠き（３５）に合わせて移動制限の位置決めの作用が形成される。
【００１７】
当該押圧弾性シート（３０）は弾性を持つ金属をプレス加工することにより形成され、その両端に高く突出した押込み部（３１）（３２）を有し、中間には凹む押圧部（３３）形成された「Ｍ形」を呈する。また当該押圧部（３３）の下縁には球面凹部（３４）が形成される。当該球面凹部（３４）は前記ボールヘッド型接続棒（２０）のボールヘッド（２１）の頂部に当接するようにちょうど嵌合することができる。
【００１８】
両端の高く突出した押込み部（３１）（３２）はカップホルダー（１０）の頂縁よりやや高い。カップホルダー（１０）が天井または階層間の床にロックされた時に、当該押圧弾性シート（３０）の両端の押込み部（３１）（３２）に対して下へ押える支持作用が形成され、やや変形する。それにより、その下に接続されるハンガー（４０）が吊り下げ物品により揺れ動く問題が生じないように、中間の押圧部（３３）がボールヘッド型接続棒（２０）のボールヘッド（２１）に対して押圧し位置決め作用を生じることができる。
【００１９】
それと同時に、当該押圧弾性シート（３０）は弾性を持つため、ボールヘッド型接続棒（２０）の角度調整の効能に影響しない。またボールヘッド型接続棒（２０）が角度を調整した後に自動的に位置決めされることができ、従来の同じ種類の製品が長期的な摩損により揺れ動く問題が生じず、従って全体的にもっと良い実用価値が付与される。
【００２０】
本考案の押圧弾性シート（３０）によりボールヘッド型接続棒（００）の位置決め機能が付与される吊り下げ装置により、各種類の物品または盆栽の吊り下げに運用されることができ、さらに物干し竿の吊り下げの機能や、洗濯物を干すための機能を持つことができる。それと同時に、ボールヘッド型接続棒（２０）の角度が調整可能な機能に合わせることにより、吊り下げ物品の取り置きにおいてもっと便利となる。さらに各種類の異なる使用需要に応じて角度の調整と位置決めとを行うことができ、全体的な運用においてもっと速やかで実用的になる。
【００２１】
また図１１、１２を参照し、別の実施例について説明する。前記実施例の物品吊り下げ機能を除き、また前記ボールヘッド型接続棒（２０）のボールヘッド（２１）及び継目（２２）を貫通孔（２３）により貫通することができ、同時に底部の球面凹部（３４）を貫通するように当該押圧弾性シート（３０）の押圧部（３３）の中心に穿孔（３６）が設けられる。そうすることによりカップホルダー（１０）に合わせて、また押圧弾性シート（３０）の押込み部（３１）（３２）が圧力を受けて変形することにより、ボールヘッド型接続棒（２０）を組み合わせるように固定した後に、特に中空伸長棒（４１）及び固定ホルダー（４２）に合わせて下部に照明器具（５０）が接続されることができる。また中空伸長棒（４１）内部及びボールヘッド型接続棒（２０）の中心の貫通孔（２３）、押圧弾性シート（３０）の穿孔（３６）を利用して電源線（５１）が接続されることにより、シャンデリアとすることができる。それは本考案の別の実施態様である。
【００２２】
以上の説明により分かるように、本考案の吊り下げ装置は構造の改良設計により、従来同じ種類の物品における完備されていない欠点を克服することができる。ボールヘッド型接続棒の角度調整機能に影響しないことのほか、さらに位置決めの安定性を兼ねることができ、優れた産業上の利用可能性と実用価値が付与される。全体的に言えば、実に優れた、卓越した革新的設計であり、ここで法により実用新案登録出願する。
【符号の説明】
【００２３】
（１０）カップホルダー                （１１）穿孔
（１２）ボルト穴                      （１３）ボルト
（１４）移動制限箇所                  （２０）ボールヘッド型接続棒
（２１）ボールヘッド                  （２２）接続棒
（２３）貫通孔                        （３０）押圧弾性シート
（３１）、（３２）押込み部            （３３）押圧部
（３４）球面凹部                      （３５）移動制限切欠き
（３６）穿孔                          （４０）ハンガー
（４１）伸長棒                        （４２）固定ホルダー
（５０）照明器具                      （５１）電源線
【図１】
0003215784.tif 000003
【図２】
0003215784.tif 000004
【図３】
0003215784.tif 000005
【図４】
0003215784.tif 000006
【図５】
0003215784.tif 000007
【図６】
0003215784.tif 000008
【図７】
0003215784.tif 000009
【図８】
0003215784.tif 000010
【図９】
0003215784.tif 000011
【図１０】
0003215784.tif 000012
【図１１】
0003215784.tif 000013
【図１２】
0003215784.tif 000014